(57)【要約】【課題】不規則な模様を有し、真贋判定を簡単に行うことができる真贋判定媒体、真贋判定シート、真贋判定媒体の製造方法、真贋判定方法を提供する。【解決手段】真贋判定媒体１１０は、基材層１１２と、基材層１１２に積層され、真贋判定パターンＰに対応した領域に部分的に配置された真贋判定絵柄形成領域１１３ａと、真贋判定絵柄形成領域１１３ａを除く領域にベタ状に形成されたベタ部１１３ｂとを有するコーティング層１１３と、ベタ部１１３ｂに対して撥液性を有するインキによって形成され、真贋判定絵柄形成領域１１３ａに形成された真贋判定絵柄１１４ａと、コーティング層１１３のベタ部１１３ｂに不規則な模様状に形成された不規則絵柄１１４ｂとを有する絵柄層１１４とを備える。【選択図】図２
2019006058.tif 000002
【特許請求の範囲】
【請求項１】
基材層と、
前記基材層に積層され、真贋判定パターンに対応した領域に部分的に配置された真贋判定絵柄形成領域と、前記真贋判定絵柄形成領域を除く領域にベタ状に形成されたベタ部とを有するコーティング層と、
前記ベタ部に対して撥液性を有するインキによって形成され、前記真贋判定絵柄形成領域に形成された真贋判定絵柄と、前記コーティング層の前記ベタ部に不規則な模様状に形成された不規則絵柄とを有する絵柄層と、
を備える真贋判定媒体。
【請求項２】
請求項１に記載の真贋判定媒体において、
前記コーティング層は、前記不規則絵柄に対応した形状であり、前記真贋判定絵柄形成領域に連続した連続絵柄形成領域を備え、
前記絵柄層は、前記連続絵柄形成領域に形成されて前記真贋判定絵柄に連続し、前記不規則絵柄に対応した形状の連続絵柄を備えること、
を特徴とする真贋判定媒体。
【請求項３】
請求項１又は請求項２に記載の真贋判定媒体において、
前記真贋判定絵柄は、真贋判定シートを重ねることにより顕像化する潜像画像であること、
を特徴とする真贋判定媒体。
【請求項４】
請求項３に記載の真贋判定媒体において、
前記真贋判定絵柄は、規則的に配列されたドット、又は、規則的に配列された直線により構成されており、
前記真贋判定シートは、規則的に配列されたドット、又は、規則的に配列された直線を備えること、
を特徴とする真贋判定媒体。
【請求項５】
請求項１から請求項４までのいずれかに記載の真贋判定媒体に重ねて観察して、前記真贋判定媒体が真正のものであるか否かの判定に用いる真贋判定シートであって、
前記真贋判定パターンの真正な形状から前記真贋判定絵柄と対応する位置が欠落した形状に形成された判定シート側パターンと、
前記真贋判定絵柄と対応する位置を含み前記判定シート側パターンが形成されていない領域に形成され、前記真贋判定絵柄と重ねて観察することにより前記真贋判定絵柄の見え方を変える観察像変更領域と、
を有し、前記真贋判定絵柄の見え方を変えて前記判定シート側パターンと組み合わせることにより前記真贋判定パターンを真正な状態で観察可能とする真贋判定シート。
【請求項６】
真贋判定媒体の製造方法であって、
基材層上の真贋判定絵柄形成領域を除く領域にベタ状に形成されたベタ部を形成してコーティング層をコートし、
前記真贋判定絵柄形成領域には、規則的に配列されたドット、又は、規則的に配列された直線を印刷し、前記ベタ部には一様にインキを塗布して前記インキの前記ベタ部に対する撥液性により不規則絵柄を印刷する、真贋判定媒体の製造方法。
【請求項７】
請求項１から請求項４までのいずれかに記載の真贋判定媒体に対して請求項５に記載の真贋判定シートを位置合わせして重ねて観察し、真贋判定媒体が真正のものであるか否かを判定する真贋判定方法。
【発明の詳細な説明】
【技術分野】
【０００１】
本発明は、真贋判定媒体、真贋判定シート、真贋判定媒体の製造方法、真贋判定方法に関するものである。
【背景技術】
【０００２】
一品毎に異なる柄を有する印刷物として、特許文献１に開示されている印刷物がある。この特許文献１の印刷物では、ハジキ性を有する下刷り層に上刷り層を重ねて印刷し、はじかれたことにより一品毎に異なる柄を形成している。
また、この特許文献１では、一品毎に異なる柄を発現した印刷物を、識別対象物に備えることによって、偽造や改竄の判別のために使用することができると開示している。
【先行技術文献】
【特許文献】
【０００３】
【特許文献１】実用新案登録第３１６９１２７号公報
【発明の概要】
【発明が解決しようとする課題】
【０００４】
しかし、特許文献１に開示されている手法で印刷された柄は、一品毎に異なるとはいっても、その発現の仕方が完全にランダムであって、不規則な柄となる。したがって、特許文献１に開示されている手法を実際に真贋判定等に用いようとした場合、不規則な柄であることから、いずれの柄が真正のものであるのかを特定することが困難で有り、実現性がなかった。
【０００５】
本発明の課題は、不規則な模様を有し、真贋判定を簡単に行うことができる真贋判定媒体、真贋判定シート、真贋判定媒体の製造方法、真贋判定方法を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、基材層（１１２，２１２）と、前記基材層（１１２，２１２）に積層され、真贋判定パターン（Ｐ）に対応した領域に部分的に配置された真贋判定絵柄形成領域（１１３ａ，２１３ａ）と、前記真贋判定絵柄形成領域（１１３ａ，２１３ａ）を除く領域にベタ状に形成されたベタ部（１１３ｂ，２１３ｂ）とを有するコーティング層（１１３，２１３）と、前記ベタ部（１１３ｂ，２１３ｂ）に対して撥液性を有するインキによって形成され、前記真贋判定絵柄形成領域（１１３ａ，２１３ａ）に形成された真贋判定絵柄（１１４ａ，２１４ａ）と、前記コーティング層（１１３，２１３）の前記ベタ部（１１３ｂ，２１３ｂ）に不規則な模様状に形成された不規則絵柄（１１４ｂ，２１４ｂ）とを有する絵柄層（１１４，２１４）と、を備える真贋判定媒体（１１０，２１０）である。
【０００８】
第２の発明は、第１の発明に記載の真贋判定媒体（１１０，２１０）において、前記コーティング層（１１３，２１３）は、前記不規則絵柄（１１４ｂ，２１４ｂ）に対応した形状であり、前記真贋判定絵柄形成領域（１１３ａ，２１３ａ）に連続した連続絵柄形成領域（１１３ｃ，２１３ｃ）を備え、前記絵柄層（１１４，２１４）は、前記連続絵柄形成領域（１１３ｃ，２１３ｃ）に形成されて前記真贋判定絵柄（１１４ａ，２１４ａ）に連続し、前記不規則絵柄（１１４ｂ，２１４ｂ）に対応した形状の連続絵柄（１１４ｃ，２１４ｃ）を備えること、を特徴とする真贋判定媒体（１１０，２１０）である。
【０００９】
第３の発明は、第１の発明又は第２の発明に記載の真贋判定媒体（１１０）において、前記真贋判定絵柄（１１４ａ）は、真贋判定シート（１２０）を重ねることにより顕像化する潜像画像であること、を特徴とする真贋判定媒体（１１０）である。
【００１０】
第４の発明は、第３の発明に記載の真贋判定媒体（１１０）において、前記真贋判定絵柄（１１４ａ）は、規則的に配列されたドット、又は、規則的に配列された直線により構成されており、前記真贋判定シート（１２０）は、規則的に配列されたドット、又は、規則的に配列された直線を備えること、を特徴とする真贋判定媒体（１１０）である。
【００１１】
第５の発明は、第１の発明から第４の発明までのいずれかに記載の真贋判定媒体（１１０）に重ねて観察して、前記真贋判定媒体（１１０）が真正のものであるか否かの判定に用いる真贋判定シートであって、前記真贋判定パターン（Ｐ）の真正な形状から前記真贋判定絵柄（１１４ａ）と対応する位置が欠落した形状に形成された判定シート側パターン（１２２）と、前記真贋判定絵柄（１１４ａ）と対応する位置を含み前記判定シート側パターン（１２２）が形成されていない領域に形成され、前記真贋判定絵柄（１１４ａ）と重ねて観察することにより前記真贋判定絵柄（１１４ａ）の見え方を変える観察像変更領域（１２３）と、を有し、前記真贋判定絵柄（１１４ａ）の見え方を変えて前記判定シート側パターン（１２２）と組み合わせることにより前記真贋判定パターン（Ｐ）を真正な状態で観察可能とする真贋判定シート（１２０）である。
【００１２】
第６の発明は、真贋判定媒体（１１０）の製造方法であって、基材層（１１２）上の真贋判定絵柄形成領域（１１３ａ）を除く領域にベタ状に形成されたベタ部（１１３ｂ）を形成してコーティング層（１１３）をコートし、前記真贋判定絵柄形成領域（１１３ａ）には、規則的に配列されたドット、又は、規則的に配列された直線を印刷し、前記ベタ部（１１３ｂ）には一様にインキを塗布して前記インキの前記ベタ部（１１３ｂ）に対する撥液性により不規則絵柄（１１４ｂ）を印刷する、真贋判定媒体（１１０）の製造方法である。
【００１３】
第７の発明は、第１の発明から第４の発明までのいずれかに記載の真贋判定媒体（１１０，２１０）に対して請求項５に記載の真贋判定シートを位置合わせして重ねて観察し、真贋判定媒体（１１０，２１０）が真正のものであるか否かを判定する真贋判定方法である。
【発明の効果】
【００１４】
本発明によれば、不規則な模様を有し、真贋判定を簡単に行うことができる真贋判定媒体、真贋判定シート、真贋判定媒体の製造方法、真贋判定方法を提供することができる。
【図面の簡単な説明】
【００１５】
【図１】本発明による真贋判定媒体１１０の第１実施形態を示す図である。
【図２】偽造防止領域１１１を詳細に示す図である。
【図３】真贋判定シート１２０を示す図である。
【図４】図３中のＣ部を拡大した図である。
【図５】真贋判定媒体１１０に真贋判定シート１２０を重ねた状態を示す図である。
【図６】第２実施形態の真贋判定媒体２１０の偽造防止領域２１１を第１実施形態の図２と同様に拡大して示す図である。
【図７】第２実施形態の真贋判定シート２２０を第１実施形態の図４と同様に拡大した図である。
【図８】真贋判定媒体２１０に真贋判定シート２２０を重ねた状態を示す図である。
【発明を実施するための形態】
【００１６】
以下、本発明を実施するための最良の形態について図面等を参照して説明する。
【００１７】
（第１実施形態）
図１は、本発明による真贋判定媒体１１０の第１実施形態を示す図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００１８】
真贋判定媒体１１０は、例えば、図１に示すような商品券の形態として構成することができる。このように商品券として構成された真贋判定媒体１１０は、例えば、クレジットカード会社等が発行するものである。なお、図１に示されている面を表面、図１の紙面奥側を裏面と呼び説明する。
真贋判定媒体１１０は、例えば、図１に示される表面に、偽造防止領域１１１が設けられている。なお、真贋判定領域は、裏面に設けてもよい。
【００１９】
図２は、偽造防止領域１１１を詳細に示す図である。図２（ａ）は、図１中のＡ部を拡大した図である。図２（ｂ）は、図２（ａ）中に矢印Ｂ−Ｂで示した位置で切断した断面図である。
なお、図２（ａ）には、真贋判定パターンＰに相当するラインを破線で示しているが、これは、説明のために記載したものであり、実際には、偽造防止領域１１１に真贋判定パターンＰに相当するラインは形成されていない。
真贋判定媒体１１０は、裏面側から、基材層１１２と、コーティング層１１３と、絵柄層１１４とがこの順番で積層されて構成されている。
【００２０】
基材層１１２は、真贋判定媒体１１０のベースとなる長方形形状の上質紙等により構成されている。なお、基材層１１２は、紙に限らず、インキを用いて印刷可能な素材であれば、樹脂シートやフィルム等であってもよい。
【００２１】
コーティング層１１３は、後述するインキをはじく撥液性を発揮するＯＰニス（Ｏｖｅｒ  Ｐｒｉｎｔ  ニス）を基材層１１２上にオフセット印刷等により形成された層であり、真贋判定絵柄形成領域１１３ａと、ベタ部１１３ｂと、連続絵柄形成領域１１３ｃとを備えている。
真贋判定絵柄形成領域１１３ａは、真贋判定パターンＰに対応した領域に部分的に配置されている。この真贋判定絵柄形成領域１１３ａは、ＯＰニスをコートされておらず、インキが基材層１１２上に印刷可能な領域となっている。
ベタ部１１３ｂは、真贋判定絵柄形成領域１１３ａを除く領域にベタ状、すなわち、切れ目なく一様に形成されている。
連続絵柄形成領域１１３ｃは、後述の不規則絵柄１１４ｂに対応した形状であり、真贋判定絵柄形成領域１１３ａに連続した領域である。
【００２２】
絵柄層１１４は、真贋判定絵柄１１４ａと、不規則絵柄１１４ｂと、連続絵柄１１４ｃとを備えている。
真贋判定絵柄１１４ａは、ベタ部１１３ｂに対して撥液性を有するインキによって形成されており、真贋判定絵柄形成領域１１３ａに形成されている。真贋判定絵柄１１４ａは、後述する真贋判定シート１２０を重ねることにより顕像化する潜像画像を構成している。具体的には、真贋判定絵柄１１４ａは、規則的に配列されたドット、又は、規則的に配列された直線により構成することができる。本実施形態では、網点印刷により、規則的に配列されたドットを形成している。
不規則絵柄１１４ｂは、真贋判定絵柄１１４ａを形成するインキと同一のインキによって形成されており、コーティング層１１３のベタ部１１３ｂ上に不規則な模様状に形成されている。
連続絵柄１１４ｃは、真贋判定絵柄１１４ａ及び不規則絵柄１１４ｂを形成するインキと同一のインキによって連続絵柄形成領域１１３ｃに形成されている。連続絵柄１１４ｃは、真贋判定絵柄１１４ａに連続しており、不規則絵柄１１４ｂに対応した形状となっている。また、連続絵柄１１４ｃは、真贋判定絵柄１１４ａとは異なり、ベタ印刷により形成されている。
真贋判定絵柄１１４ａと、不規則絵柄１１４ｂと、連続絵柄１１４ｃとは、いずれも同じ色で印刷されており、本実施形態では黒となっている。
ここで、不規則絵柄１１４ｂに対応した形状とは、不規則絵柄１１４ｂと比べてみたときに、見分けがつかない程度に不規則絵柄１１４ｂの不規則形状に似た形状である。
【００２３】
絵柄層１１４に形成される不規則絵柄１１４ｂは、コーティング層１１３のベタ部１１３ｂに対して撥液性を有するインキを一様に印刷することにより、ベタ部１１３ｂによってインキがはじかれて自然と形成される形状（模様）の絵柄である。したがって、この不規則絵柄１１４ｂは、一品毎に形状が異なるものとなる。
一方、同じ絵柄層１１４に形成される絵柄であるが、真贋判定絵柄１１４ａ及び連続絵柄１１４ｃは、コーティング層１１３の真贋判定絵柄形成領域１１３ａ及び連続絵柄形成領域１１３ｃの形状にしたがって、規定の形状、すなわち、上述したように不規則絵柄１１４ｂに対応した形状に形成されている。
【００２４】
次に、真贋判定媒体１１０を製造する方法について説明する。
先ず、基材層１１２の表面の偽造防止領域１１１に、ＯＰニスをオフセット印刷等によりコート（印刷）してコーティング層１１３を形成する。この時、真贋判定絵柄形成領域１１３ａ及び連続絵柄形成領域１１３ｃを除く領域にベタ状にＯＰニスを印刷してベタ部１１３ｂを形成する。
コーティング層１１３のＯＰニスが十分に硬化した後に、絵柄層１１４の印刷を行う。真贋判定絵柄形成領域１１３ａには、規則的に配列されたドット、又は、規則的に配列された直線を印刷し、連続絵柄形成領域１１３ｃ及びベタ部１１３ｂには一様にインキを塗布（印刷）する。これにより、真贋判定絵柄１１４ａと、連続絵柄１１４ｃとが形成される。また、ベタ部１１３ｂ上では、インキのベタ部１１３ｂに対する撥液性により不規則絵柄１１４ｂが形成される。
また、絵柄層１１４の印刷時に、「商品券」「１，０００円」といったその他の表示用の印刷も行う。
以上の製造方法によって、真贋判定媒体１１０が完成する。
【００２５】
次に、真贋判定媒体１１０が真正のものであるか否かの判定に用いる真贋判定シート１２０について説明する。
図３は、真贋判定シート１２０を示す図である。
真贋判定シート１２０は、真贋判定媒体１１０に重ねて観察して、真贋判定媒体１１０が真正のものであるか否かの判定に用いる作業を容易に行えるように、真贋判定媒体１１０の外形形状と同一形状に形成されている。
真贋判定シート１２０は、透明な樹脂シート等により構成されており、真贋判定媒体１１０の偽造防止領域１１１に対応した位置に、真贋判定領域１２１を有している。
【００２６】
図４は、図３中のＣ部を拡大した図である。
真贋判定領域１２１には、判定シート側パターン１２２と、観察像変更領域１２３とが印刷されている。
【００２７】
判定シート側パターン１２２は、真贋判定パターンＰの真正な形状から真贋判定絵柄１１４ａと対応する位置が欠落した形状に形成されている。また、判定シート側パターン１２２は、真贋判定絵柄１１４ａ、不規則絵柄１１４ｂ、連続絵柄１１４ｃと同色に印刷されている。
【００２８】
観察像変更領域１２３は、真贋判定絵柄１１４ａと対応する位置を含み判定シート側パターン１２２が形成されていない領域に形成されている。観察像変更領域１２３は、規則的に配列されたドット、又は、規則的に配列された直線を備える。本実施形態の観察像変更領域１２３は、規則的に配列された直線により構成された、いわゆる万線により構成されている。この観察像変更領域１２３の万線は、真贋判定絵柄１１４ａと重ねて観察することにより真贋判定絵柄１１４ａとの間で干渉縞（モアレ）を生じ、真贋判定絵柄１１４ａの見えかたを変化させる。本実施形態では、観察像変更領域１２３の万線は、真贋判定絵柄１１４ａと重ねて観察することにより略黒色に観察される。
【００２９】
次に、本実施形態の真贋判定媒体１１０に真贋判定シート１２０を重ねた状態を説明する。
図５は、真贋判定媒体１１０に真贋判定シート１２０を重ねた状態を示す図である。
真贋判定媒体１１０に真贋判定シート１２０を重ねると、真贋判定絵柄１１４ａと観察像変更領域１２３の万線とが重なった位置が干渉縞（モアレ）によって、略黒に見える。これにより、不完全な形状であった判定シート側パターン１２２の欠落した部分が黒く埋まって見えて、真贋判定パターンＰの真正な形状が観察できる。これにより、真贋判定媒体１１０が真正品であることを判定可能である。なお、図５では、真贋判定絵柄１１４ａと観察像変更領域１２３の万線とが重なった位置の干渉縞をクロスハッチにより示している。
【００３０】
一方、仮に、適切な位置に真贋判定絵柄１１４ａが設けられていない偽造品等に真贋判定シート１２０を重ねると、判定シート側パターン１２２の欠落した部分が黒く見えず、真正品ではないと判定可能である。
また、真贋判定シート１２０を重ねない状態の真贋判定媒体１１０は、一見、偽造防止領域１１１に不規則な模様が印刷されているだけに見えるので、偽造が困難である。
また、真贋判定媒体１１０の偽造防止領域１１１の不規則な模様をそのままベタ印刷のみで複製した場合には、干渉縞が発生しないので、見え方が異なって見えるので、真正品と区別することが可能である。
【００３１】
以上説明したように、第１実施形態の真贋判定媒体１１０によれば、特殊な印刷技術を必要とせずに、簡単な構成で真贋判定が可能な構成とすることができる。また、真贋判定媒体１１０の偽造防止領域１１１は、一品毎に異なる模様となって形成されるので、偽造しようとする者にとっては、どのように模倣をすればよいのか判断がつかずに、偽造を抑止することが可能である。
【００３２】
（第２実施形態）
図６は、第２実施形態の真贋判定媒体２１０の偽造防止領域２１１を第１実施形態の図２と同様に拡大して示す図である。図６（ａ）は、偽造防止領域２１１を表面からみた状態を拡大した図である。図６（ｂ）は、図６（ａ）中に矢印Ｄ−Ｄで示した位置で切断した断面図である。
第２実施形態は、真贋判定媒体２１０については、第１実施形態の真贋判定絵柄１１４ａに相当する真贋判定絵柄２１４ａの形態を変更した点、真贋判定シート２２０については、第１実施形態の観察像変更領域１２３に相当する領域に万線等を設けていない点がそれぞれ異なる他は、第１実施形態と同様である。よって、前述した第１実施形態と同様の機能を果たす部分には、末尾に同一の符号を付して、重複する説明を適宜省略する。
【００３３】
本実施形態の真贋判定媒体２１０は、第１実施形態の真贋判定絵柄１１４ａに相当する真贋判定絵柄２１４ａの印刷を、連続絵柄１１４ｃと同じベタ印刷としている他は、第１実施形態の真贋判定媒体１１０と同様な形態をしている。
よって、基材層２１２と、コーティング層２１３と、絵柄層２１４の他の部分については、第１実施形態の基材層１１２と、コーティング層１１３と、絵柄層１１４と同様であり、真贋判定絵柄形成領域２１３ａと、ベタ部２１３ｂと、連続絵柄形成領域２１３ｃとについても、第１実施形態と同様である。
不規則絵柄２１４ｂについても、第１実施形態の不規則絵柄１１４ｂと同様である。なお、図６等では、不規則絵柄２１４ｂを第１実施形態の不規則絵柄１１４ｂと同一形状で示しているが、この不規則絵柄２１４ｂは、実際には、一品毎に異なる形態となる。
【００３４】
図７は、第２実施形態の真贋判定シート２２０を第１実施形態の図４と同様に拡大した図である。
第２実施形態の真贋判定シート２２０には、第１実施形態と同様な判定シート側パターン２２２が設けられている。しかし、第２実施形態の真贋判定シート２２０は、第１実施形態の観察像変更領域１２３に相当する部分には、何も印刷を行っておらず、透明なままとなっている。
【００３５】
図８は、真贋判定媒体２１０に真贋判定シート２２０を重ねた状態を示す図である。
真贋判定媒体２１０に真贋判定シート２２０を重ねると、真贋判定絵柄２１４ａにより、不完全な形状であった判定シート側パターン２２２の欠落した部分が黒く埋まって見えて、真贋判定パターンＰの真正な形状が観察できる。これにより、真贋判定媒体２１０が真正品であることを判定可能である。なお、図８では、真贋判定絵柄２１４ａをクロスハッチにより示している。
一方、仮に、適切な位置に真贋判定絵柄２１４ａが設けられていない偽造品等に真贋判定シート２２０を重ねると、判定シート側パターン２２２の欠落した部分が黒く見えず、真正品ではないと判定可能である。
【００３６】
以上説明したように、第２実施形態の真贋判定媒体２１０によれば、特殊な印刷技術を必要とせずに、簡単な構成で真贋判定が可能な構成とすることができる。また、真贋判定媒体２１０の偽造防止領域２１１は、一品毎に異なる模様となって形成されるので、偽造しようとする者にとっては、どのように模倣をすればよいのか判断がつかずに、偽造を抑止することが可能である。さらに、第２実施形態では、第１実施形態よりも簡素な構成としたので、第１実施形態よりもさらに製造が容易である。
【００３７】
（変形形態）
以上説明した実施形態に限定されることなく、種々の変形や変更が可能であって、それらも本発明の範囲内である。
【００３８】
（１）各実施形態において、インキは黒色である例を挙げて説明した。これに限らず、例えば、赤や青等、他の色のインキを用いてもよい。
【００３９】
（２）第２実施形態において、真贋判定シート２２０は、第１実施形態の観察像変更領域１２３に相当する部分には、何も印刷を行っておらず、透明とした例を挙げて説明した。これに限らず、例えば、真贋判定絵柄２１４ａに対応する部分のみを透明として、他の領域には、判定シート側パターン２２２とは異なる色を印刷してもよい。
【００４０】
（３）各実施形態において、連続絵柄１１４ｃ，２１４ｃを設けた例を挙げて説明した。これに限らず、例えば、連続絵柄１１４ｃ，２１４ｃに相当する部位を設けない構成としてもよい。この場合、真贋判定絵柄形成領域１１３ａ，２１３ａの形状を不規則絵柄１１４ｂ，２１４ｂと対応する形状にすると、偽造抑制効果を高めることができる。
【００４１】
なお、各実施形態及び変形形態は、適宜組み合わせて用いることもできるが、詳細な説明は省略する。また、本発明は以上説明した各実施形態によって限定されることはない。
【符号の説明】
【００４２】
Ｐ        真贋判定パターン
１１０    真贋判定媒体
１１１    偽造防止領域
１１２    基材層
１１３    コーティング層
１１３ａ  真贋判定絵柄形成領域
１１３ｂ  ベタ部
１１３ｃ  連続絵柄形成領域
１１４    絵柄層
１１４ａ  真贋判定絵柄
１１４ｂ  不規則絵柄
１１４ｃ  連続絵柄
１２０    真贋判定シート
１２１    真贋判定領域
１２２    判定シート側パターン
１２３    観察像変更領域
２１０    真贋判定媒体
２１１    偽造防止領域
２１２    基材層
２１３    コーティング層
２１３ａ  真贋判定絵柄形成領域
２１３ｂ  ベタ部
２１３ｃ  連続絵柄形成領域
２１４    絵柄層
２１４ａ  真贋判定絵柄
２１４ｂ  不規則絵柄
２２０    真贋判定シート
２２２    判定シート側パターン
【図１】
2019006058.tif 000003
【図２】
2019006058.tif 000004
【図３】
2019006058.tif 000005
【図４】
2019006058.tif 000006
【図５】
2019006058.tif 000007
【図６】
2019006058.tif 000008
【図７】
2019006058.tif 000009
【図８】
2019006058.tif 000010